【手続補正書】
【提出日】平成16年4月20日(2004.4.20)
【手続補正１】
【補正対象書類名】明細書
【補正対象項目名】全文
【補正方法】変更
【補正の内容】
【発明の名称】遊技機用基盤ボックス
【特許請求の範囲】
【請求項１】遊技機側に取り付くボックスベースと、そのボックスベースに被せるボックスカバーと、プリント基板に電子部品や接続用のコネクターなどを取り付けた制御基盤と、を有する遊技機用基盤ボックスにおいて、
前記ボックスカバーにコネクター開口を形成してそのコネクター開口をボックスカバーとは別体のカバー部材で塞ぐように構成し、前記カバー部材に制御基盤のコネクターと対応する位置であってコネクターの外形にほぼ合致する形状の挿通口を形成し、その挿通口を介して制御基盤のコネクターをボックスカバーの外部に露出させるようにしたことを特徴とする遊技機用基盤ボックス。
【請求項２】前記カバー部材は、前記コネクター開口を内側から塞ぐようになっていることを特徴とする請求項１記載の遊技機用基盤ボックス。
【請求項３】前記カバー部材の外周に係合段部を形成し、その係合段部をコネクター開口の周縁に係合させるようにしたことを特徴とする請求項２記載の遊技機用基盤ボックス。
【発明の詳細な説明】
【０００１】
【発明の属する技術分野】
本発明は、遊技機の制御基盤を収納する遊技機用基盤ボックス（以下単に基盤ボックスという。）に関する。
【０００２】
【従来の技術】
現在、パチンコ機やスロットマシーンなどの遊技機には、遊技機側に取り付くボックスベースと、そのボックスベースに被せるボックスカバーと、プリント基板上に電子部品や接続用のコネクターなどを取り付けた制御基盤と、から構成される基盤ボックスが設置されている。従来の基盤ボックスは、制御基盤のコネクターが外から触れない位置に設けられており、前記コネクターに中継ケーブルのコネクターを接続してその中継ケーブルをボックスカバーの側面から引き出すようにしていた。
【０００３】
【発明が解決しようとする課題】
通常、基盤ボックスは封印シールなどで封印処理されていてボックスカバーが外せない。一方、制御基盤のコネクターは前記のように基盤ボックス内にあるから、ボックスカバーを外さないと中継ケーブルのコネクターが抜き差しできない。そのため従来は、ボックスカバーを被せる前に中継ケーブルのコネクターを制御基盤のコネクターに接続し、以後中継ケーブルを接続したままの状態で基盤ボックスを遊技機に着脱するなどの作業を行っていたが、作業の際に複数の中継ケーブル同士が絡み合ったり、或いは、中継ケーブルが他の部品に引っ掛かって断線したりする、などの不具合が生じていた。
【０００４】
本発明は、上記に鑑みなされたもので、その目的は、制御基盤のコネクターに対して中継ケーブルの着脱がいつでも自由に行えるようにすることにある。
【０００５】
【課題を解決するための手段】
上記の目的を達成するため本発明は、遊技機側に取り付くボックスベースと、そのボックスベースに被せるボックスカバーと、プリント基板に電子部品や接続用のコネクターなどを取り付けた制御基盤と、を有する遊技機用基盤ボックスにおいて、前記ボックスカバーにコネクター開口を形成してそのコネクター開口をボックスカバーとは別体のカバー部材で塞ぐように構成し、前記カバー部材に制御基盤のコネクターと対応する位置であってコネクターの外形にほぼ合致する形状の挿通口を形成し、その挿通口を介して制御基盤のコネクターをボックスカバーの外部に露出させるようにした基盤ボックスを提供する。
【０００６】
本発明の基盤ボックスは、制御基盤のコネクターがボックスカバーの外部に突出しているため、ボックスカバーを外さなくとも自由に中継ケーブルを着脱することができる。また、個々のコネクター形状に合わせた挿通口からコネクターを突出させるようにしたため、コネクター周りのプリント基板がボックスカバーの外部に露出することはない。また、カバー部材をボックスカバーと別体にしたから、コネクターの形状・個数・配置などが変更されたとしても、カバー部材のみの変更で対応できるため金型代などのコストが大幅に圧縮できる。
【０００７】
【発明の実施の形態１】
以下に本発明の実施の形態を図面を参照しつつ説明する。なお、図１は基盤ボックスの分解斜視図、図２は一部を断面にした基盤ボックスの底面図、図３は図２の要部拡大図、図４はパチンコ機の裏面図である。
【０００８】
基盤ボックス１０は、図４に示したように例えば遊技機の一種であるパチンコ機Ｐにおいて、遊技板２の裏側に設けた入賞球集合カバー３に取り付けられている。基盤ボックス１０は、合成樹脂製で透明なボックスベース１１と、同じく合成樹脂製で透明なボックスカバー１２との組合せであって、内蔵ロムなどの電子部品（図示せず）の集合体である制御基盤４を内部に収めてなる。
【０００９】
前記ボックスベース１１は、長方形のプレート１１ａと、そのプレート１１ａの上面に突設され後述するプリント基板４ａの取付台となるリブ１１ｂ（図５参照）と、プレート１１ａの隣り合う二辺にそれぞれ二枚づつ立設した補助側板１１ｃ…と、プレート１１ａの上下二辺に突設され前記入賞球集合カバー３の取付部に係合する取付片１１ｄ…と、から構成される。
【００１０】
一方、前記ボックスカバー１２は、上面と四周側面を上側板１２ａと周側板１２ｂ〜１２ｅで囲った形態であって、二つの周側板１２ｄ，１２ｅに前記ボックスベース１１の補助側板１１ｃに嵌まり合う凹欠部１２ｆを形成し、また、他の一つの周側板１２ｂにボックスベース１１側に直角に下がった部位に段部５を形成してなる。そして、この段部５に、後述する制御基盤４のコネクター４ｂ…の形状・個数・配置に対応させて挿通口５ａ…が複数個形成されている。
【００１１】
前記段部５は、図１〜図３に示したように、ボックスカバー１２に形成したコネクター開口５ｂと、そのコネクター開口５ｂを内側から塞ぐ合成樹脂製で透明な板状のカバー部材５ｃとで構成され、そのカバー部材５ｃに前記挿通口５ａが設けてある。また、カバー部材５ｃは、外周に係合段部５ｄが設けてあり、この係合段部５ｄにコネクター開口５ｂの周縁が係合する。
【００１２】
このように挿通口５ａをボックスカバー１２とは別体のカバー部材５ｃに設けるようにした基盤ボックス１０は、コネクター４ｂの形状・個数・配置などの変更に対してカバー部材５ｃのみの交換で対応できるため、コストの抑制策として有用性が高い。
【００１３】
前記制御基盤４は、プリント基板４ａに、内蔵ロム、ＣＰＵなどの電子部品や接続用のコネクター４ｂ…を取り付けてなる。コネクター４ｂは異種または同種のものが複数個あり、それらがプリント基板４ａの一側に並べられている。なお、前記のように全てのコネクター４ｂは、ボックスカバー１２の各挿通口５ａに対応している。
【００１４】
次ぎに、上記基盤ボックス１０の組立方法について説明する。先ず、図１に示したようにボックスベース１１のリブ１１ｂの上に制御基盤４を載せる。次ぎに、制御基盤４のプリント基板４ａ上にカバー部材５ｃを被せてコネクター４ｂの周りをカバーする。次ぎに補助側板１１ｃと凹欠部１２ｆを嵌め合わせながらボックスベース１１にボックスカバー１２を被せる。そして、ボックスベース１１の裏側からプリント基板４ａの取付孔４ｃ…を貫通させるようにしてねじ（図示せず）を通し、そのねじをボックスカバー１２側の雌ねじ部（図示せず）に入れて締め付け、必要に応じてボックスベース１１とボックスカバー１２の接合部に封印処理（封印シールの貼付や封印具の装着など）を施す。このときカバー部材５ｃは、図２に示したように外周の係合段部５ｄが、コネクター開口５ｂの周縁とプリント基板４ａで挟まれてロックされている。なお、カバー部材５ｃとコネクター開口５ｂの接合部分は、係合段部５ｄとコネクター開口５ｂの周縁が係合してＬ字状に入り組んでいるから異物が差し込めない。もちろん、このような異物の差込み防止という目的を達成する手段としては、係合段部５ｄとコネクター開口５ｂの接合形態は図示した構造に限定されないのであって、入り組み方を複雑にする程、高い防犯効果が得られる。
【００１５】
しかして上記基盤ボックス１０は、コネクター４ｂがボックスカバー１２の外部に突出しているため、一々ボックスカバー１２を外さなくとも自由に中継ケーブルＸのコネクターＹを着脱することができる。また、コネクター４ｂ周りのプリント基板４ａがボックスカバー１２の外部に露出されていないから、プリント基板４ａに直接触れることができず、プリント基板４ａに不正のための加工を施す隙を与えない。なお、段部５の大きさ（深さ）を制御基盤４のコネクター４ｂが完全に収まるように設定しておけば、コネクター４ｂが嵩張らず、また、輸送のために基盤ボックス１０を複数個積み重ねてもコネクター４ｂのピンが変形（曲がったり倒れたりする）するようなおそれがない。特に、図示したようにボックスカバー１２の段部５の片側または両側の端部に肩部５０を設けておけば、コネクター４ｂのピンが外部にむき出し状態になっていても変形要因となるような外力を受ける危険度が低下する。また、より好ましくは、図３二点鎖線で示したように段部５の側辺に防護壁５００を突設してコネクター４ｂのピンをガードするようにしておけば、コネクター４ｂの安全対策として万全である。
【００１６】
【発明の効果】
本発明の基盤ボックスは、制御基盤のコネクターがボックスカバーの外部に突出しているため、ボックスカバーを外さなくとも自由に中継ケーブルを着脱することができる。従って、基盤ボックスを遊技機に着脱する際に中継ケーブルを外して作業が行えるから、中継ケーブル同士が絡み合ったり、中継ケーブルを他の部品に引っ掛ける、というような不具合がない。また、個々のコネクター形状に合わせた挿通口からコネクターを突出させるようにしたため、コネクター周りのプリント基板でもボックスカバーの外部に露出することがなく、従って、プリント基板に不正のための加工を施す隙を与えない。また、カバー部材をボックスカバーと別体にしたから、コネクターの形状・個数・配置などが変更されたとしても、カバー部材のみの変更で対応できるため金型代などのコストが大幅に圧縮できる、などの効果がある。
【図面の簡単な説明】
【図１】基盤ボックスの分解斜視図である。
【図２】一部を断面にした基盤ボックスの底面図である。
【図３】図２の要部拡大図である。
【図４】パチンコ機の裏面図である。
【符号の説明】
Ｐ    …パチンコ機（遊技機）
４    …制御基盤
４ａ  …プリント基板
４ｂ  …コネクター
５    …段部
５ａ  …挿通口
５ｂ  …コネクター開口
５ｃ  …カバー部材
５ｄ  …係合段部
１０  …遊技機用基盤ボックス
１１  …ボックスベース
１２  …ボックスカバー


【手続補正２】
【補正対象書類名】図面
【補正対象項目名】図５
【補正方法】削除
【補正の内容】